【手続補正書】
【提出日】平成21年7月31日(2009.7.31)
【手続補正１】
【補正対象書類名】特許請求の範囲
【補正対象項目名】全文
【補正方法】変更
【補正の内容】
【特許請求の範囲】
【請求項１】
シートを排出する排出手段と、
前記排出手段から排出されるシートを積載する第１のシート積載手段と、
前記第１のシート積載手段の下方に位置し、前記排出手段から排出されるシートを積載する第２のシート積載手段と、
前記第１のシート積載手段を上下方向に移動させる第１の移動手段と、
前記第２のシート積載手段を上下方向に移動させる第２の移動手段と、
前記第２のシート積載手段の上下方向の位置を検知する位置検知手段と、
前記第２のシート積載手段の移動の異常を検知する異常検知手段と、
前記第１のシート積載手段へシートを積載する場合、前記第１のシート積載手段のシートの積載量に応じて前記第１のシート積載手段の位置を調整するよう前記第１の移動手段を制御し、前記第１のシート積載手段が所定位置まで下降したことを前記位置検知手段により検知されると、前記第１のシート積載手段が満載であると判断し、前記第２のシート積載手段へシートを積載する場合、前記第２のシート積載手段のシートの積載量に応じて前記第２のシート積載手段の位置を調整するよう前記第２の移動手段を制御する制御手段と、を有し、
前記制御手段は、前記異常検知手段によって前記第２のシート積載手段の移動の異常が検知され、更に前記位置検知手段により前記第２のシート積載手段が第１の位置で停止していることが検知された場合は、前記異常検知手段により前記第２のシート積載手段の移動の異常が検知され、更に前記位置検知手段により前記第２のシート積載手段が前記第１の位置よりも下方に位置する第２の位置で停止していることが検知された場合よりも上方の位置に、前記第１のシート積載手段を満載と判断する前記所定位置を設定することを特徴とするシート処理装置。
【請求項２】
前記排出手段は、前記第１のシート積載手段へシートを排出する第１の排出手段と、前記第１のシート積載手段の上下の移動方向において前記第１の排出手段よりも下側に設けられ、前記第１のシート積載手段及び前記第２のシート積載手段へシートを排出する第２の排出手段とを有し、
前記第２のシート積載手段の移動の異常が異常検知手段により検知された場合、前記制御手段は、前記第１の排出手段により排出されるシートを前記第１のシート積載手段に積載する場合の、前記第１のシート積載手段を満載と判断する前記所定位置を前記第２のシート積載手段の停止位置に応じて設定することを特徴とする請求項１記載のシート処理装置。
【請求項３】
シートに後処理を施すため、シートを一時的に積載する処理トレイと、
シートを積載する第１のシート積載手段と、
前記第１のシート積載手段の下に位置する第２のシート積載手段と、
前記処理トレイのシートを前記第１及び第２のシート積載手段に排出する第１の排出手段と、
前記第１のシート積載手段を上下方向に移動させる第１の移動手段と、
前記第２のシート積載手段を上下方向に移動させる第２の移動手段と、
前記第２のシート積載手段の上下方向の位置を検知する位置検知手段と、
前記第２のシート積載手段の移動の異常を検知する異常検知手段と、
前記第１のシート積載手段へシートを積載する場合、前記第１のシート積載手段のシートの積載量に応じて前記第１のシート積載手段の位置を調整するよう前記第１の移動手段を制御し、前記第２のシート積載手段へシートを積載する場合、前記第２のシート積載手段のシートの積載量に応じて前記第２のシート積載手段の位置を調整するよう前記第２の移動手段を制御する制御手段と、
を有し、前記制御手段は、前記異常検知手段によって前記第２のシート積載手段の移動の異常が検知され、前記位置検知手段により検知される前記第２のシート積載手段の停止位置が、前記第１の排出手段より所定距離下にある基準位置より上にあれば、前記第１の排出手段を用いる排出動作を禁止とし、前記基準位置より下にあれば、前記第１の排出手段を用いる排出動作を許容することを特徴とするシート処理装置。
【請求項４】
後処理を施さないシートを前記処理トレイを介さずに前記第１のシート積載手段へ排出する第２の排出手段を有し、前記制御手段は、前記第２のシート積載手段の停止位置が前記基準位置より上にあれば、前記第１の排出手段を用いる排出動作を禁止する一方、前記第２の排出手段を用いる排出動作を許可することを特徴とする請求項３記載のシート処理装置。
【請求項５】
請求項１または請求項３記載のシート処理装置と、その前段に接続される画像形成装置とからなる画像形成システム。
【手続補正２】
【補正対象書類名】明細書
【補正対象項目名】０００８
【補正方法】変更
【補正の内容】
【０００８】
上記目的を達成するために、請求項１記載のシート処理装置は、シートを排出する排出手段と、前記排出手段から排出されるシートを積載する第１のシート積載手段と、前記第１のシート積載手段の下方に位置し、前記排出手段から排出されるシートを積載する第２のシート積載手段と、前記第１のシート積載手段を上下方向に移動させる第１の移動手段と、前記第２のシート積載手段を上下方向に移動させる第２の移動手段と、前記第２のシート積載手段の上下方向の位置を検知する位置検知手段と、前記第２のシート積載手段の移動の異常を検知する異常検知手段と、前記第１のシート積載手段へシートを積載する場合、前記第１のシート積載手段のシートの積載量に応じて前記第１のシート積載手段の位置を調整するよう前記第１の移動手段を制御し、前記第１のシート積載手段が所定位置まで下降したことを前記位置検知手段により検知されると、前記第１のシート積載手段が満載であると判断し、前記第２のシート積載手段へシートを積載する場合、前記第２のシート積載手段のシートの積載量に応じて前記第２のシート積載手段の位置を調整するよう前記第２の移動手段を制御する制御手段と、を有し、前記制御手段は、前記異常検知手段によって前記第２のシート積載手段の移動の異常が検知され、更に前記位置検知手段により前記第２のシート積載手段が第１の位置で停止していることが検知された場合は、前記異常検知手段により前記第２のシート積載手段の移動の異常が検知され、更に前記位置検知手段により前記第２のシート積載手段が前記第１の位置よりも下方に位置する第２の位置で停止していることが検知された場合よりも上方の位置に、前記第１のシート積載手段を満載と判断する前記所定位置を設定することを特徴とする。
【手続補正３】
【補正対象書類名】明細書
【補正対象項目名】０００９
【補正方法】変更
【補正の内容】
【０００９】
請求項３記載のシート処理装置は、シートに後処理を施すため、シートを一時的に積載する処理トレイと、シートを積載する第１のシート積載手段と、前記第１のシート積載手段の下に位置する第２のシート積載手段と、前記処理トレイのシートを前記第１及び第２のシート積載手段に排出する第１の排出手段と、前記第１のシート積載手段を上下方向に移動させる第１の移動手段と、前記第２のシート積載手段を上下方向に移動させる第２の移動手段と、前記第２のシート積載手段の上下方向の位置を検知する位置検知手段と、前記第２のシート積載手段の移動の異常を検知する異常検知手段と、前記第１のシート積載手段へシートを積載する場合、前記第１のシート積載手段のシートの積載量に応じて前記第１のシート積載手段の位置を調整するよう前記第１の移動手段を制御し、前記第２のシート積載手段へシートを積載する場合、前記第２のシート積載手段のシートの積載量に応じて前記第２のシート積載手段の位置を調整するよう前記第２の移動手段を制御する制御手段と、を有し、前記制御手段は、前記異常検知手段によって前記第２のシート積載手段の移動の異常が検知され、前記位置検知手段により検知される前記第２のシート積載手段の停止位置が、前記第１の排出手段より所定距離下にある基準位置より上にあれば、前記第１の排出手段を用いる排出動作を禁止とし、前記基準位置より下にあれば、前記第１の排出手段を用いる排出動作を許容することを特徴とする。